(57)【要約】【課題】  上面全面に亘って親水性及び滑り止め性を有する水廻り部材を提供する。【解決手段】  水廻り部材１の略上面１１全面に無数の主突起２を形成して前記上面１１を親水性及び滑り止め性を有する粗面とし、前記主突起２の表面と主突起２間の谷部に主突起２よりも小さい副突起３を無数に形成した。【選択図】        図１
2006225890.tif 000002
【特許請求の範囲】
【請求項１】
水廻り部材の略上面全面に無数の主突起を形成して前記上面を親水性及び滑り止め性を有する粗面とし、前記主突起の表面と主突起間の谷部に主突起よりも小さい副突起を無数に形成して成ることを特徴とする水廻り部材。
【請求項２】
副突起を大きさが大きい方の大副突起と大きさが小さい方の小副突起とで構成し、主突起の表面に小副突起を形成すると共に主突起間の谷部に大副突起を形成して成ることを特徴とする請求項１記載の水廻り部材。
【請求項３】
主突起の高さを平均略３０乃至５００μｍ、基底部の長さを平均略３０乃至１０００μｍとして成ることを特徴とする請求項１又は２記載の水廻り部材。
【請求項４】
副突起の高さを平均略０．５乃至３０μｍ、基底部の長さを平均略０．５乃至１５０μｍとして成ることを特徴とする請求項１乃至３のいずれかに記載の水廻り部材。
【発明の詳細な説明】
【技術分野】
【０００１】
本発明は、水廻り部材に関するものである。
【背景技術】
【０００２】
従来より、浴室の床パンや浴槽等の水廻りには水廻り部材が用いられている。水廻り部材にはＦＲＰ等のような親水性が低い（平坦な表面における水の接触角が大きい）材料にて成形されている。このため、水廻り部材の上面に排水用の溝を設けても上面に水が残り易くて排水性が悪く、また、残った水は接触角が大きいため広がらずに盛り上がってしまい、表面積が小さくて乾燥性が悪いものであった。
【０００３】
また、床パンや浴槽の底面等は、使用者が足を滑らせて転倒する惧れがあるため、滑り止め性を要するものであった。
【０００４】
そこで、床パンや浴槽の底面等に親水性及び滑り止め性を付与した水廻り部材が考えられた（例えば特許文献１参照）。
【０００５】
特許文献１に示すものにあっては、上面に滑り止めの凸部と、凸部の間に排水流路を格子状等に形成し、排水流路の底面を親水性を有するように粗面としたものが開示してある。
【０００６】
しかしながらこのものにあっては、上面のうちの一部が排水流路となっていて全面排水するものではないため、上面に格子状等に形成した排水流路の側面に水が溜まったりする惧れがあり、排水性に問題があるものであった。
【０００７】
このため、上面全面に亘って親水性及び滑り止め性を有する水廻り部材が望まれている。
【特許文献１】特開２００４−２５１０９５号公報
【発明の開示】
【発明が解決しようとする課題】
【０００８】
本発明は上記従来の問題点に鑑みて発明したものであって、その目的とするところは、上面全面に亘って親水性及び滑り止め性を有する水廻り部材を提供することを課題とするものである。
【課題を解決するための手段】
【０００９】
上記課題を解決するために請求項１に係る水廻り部材にあっては、水廻り部材１の略上面１１全面に無数の主突起２を形成して前記上面１１を親水性及び滑り止め性を有する粗面とし、前記主突起２の表面と主突起２間の谷部に主突起２よりも小さい副突起３を無数に形成して成ることを特徴とするものである。このような構成とすることで、主突起２により水廻り部材１の上面１１上の大きな水滴及び水膜が広がって薄い膜状となると共に滑り止め性を有するようになり、副突起３によって薄い膜状の水が更に薄い膜状となって親水性を有するようになるものである。
【００１０】
また、請求項２の発明は、請求項１の発明において、副突起３を大きさが大きい方の大副突起３１と大きさが小さい方の小副突起３２とで構成し、主突起２の表面に小副突起３２を形成すると共に主突起２間の谷部に大副突起３１を形成して成ることを特徴とするものである。このような構成とすることで、主突起２間の谷部を水が流れる際に水が大副突起３１を流れることとなって小副突起３２を流れる場合と比べて排水時間が短くてすむ。
【００１１】
また、請求項３の発明は、請求項１又は２の発明において、主突起２の高さｈ２を平均略３０乃至５００μｍ、基底部の幅ｗ２を平均略３０乃至１０００μｍとして成ることを特徴とするものである。このような主突起２により、大きな水滴及び水膜が表面上に広がって薄い膜状となると共に、滑り止め性を有するようになる。
【００１２】
また、請求項４の発明は、請求項１乃至３の発明において、副突起３の高さを平均略０．５乃至３０μｍ、基底部の幅を平均略０．５乃至１５０μｍとして成ることを特徴とするものである。このような副突起３により、主突起２によって薄い膜状に広がった水が更に薄い膜状に広がって親水性を有するようになる。
【発明の効果】
【００１３】
本発明にあっては、主突起により水廻り部材の上面上の大きな水滴及び水膜が広がって薄い膜状となると共に滑り止め性を有するようになり、副突起によって薄い膜状の水が更に薄い膜状となって親水性を有するようになるため、水廻り部材の上面全面に水が残り難くなって排水性が向上すると共に、たとえ水が残ったとしても上面上に広がるため乾燥性が向上するものであり、また、使用者が足を滑らせて転倒するのを防止することができる。
【発明を実施するための最良の形態】
【００１４】
以下、本発明の実施形態について図面に基づいて説明する。本発明の水廻り部材１は、浴室の床パンや浴槽の底面等の排水性が求められる部分に用いられるもので、ＦＲＰ等の親水性が無い材料で形成される。
【００１５】
材料の親水性は、その指標として水との接触角が良く用いられる。接触角についての詳細な説明はここでは省略するが、接触角が６０度未満となる材料が親水性を有する材料であり、接触角が６０度以上となる材料が親水性が無い材料である。
【００１６】
親水性が無い材料は接触角が大きいため、水の体積当たりの材料表面との接触面積が小さくなり、表面上で薄膜状に広がらずに水滴状となってしまう。本実施形態のＦＲＰからなる水廻り部材１の表面を平坦とした時の水の接触角は８０〜９０度となる。このように親水性が無い材料の表面上を水が流れて排水される場合、表面上で薄膜状に広がらないため連続して流れず水滴が所々に残り易くなって排水性が悪く、また、残った水滴は接触角が大きいため盛り上がった状態となって乾燥するのに時間が掛かって乾燥性が悪い。そこで、親水性が無い材料の平坦な表面の略全面に無数の突起を設けて水が表面上で薄膜状に広がるようにして親水性を持たせ、平坦な表面の略全面を排水面として表面に水滴が残らないようにするものである。
【００１７】
以下に、ＦＲＰからなる水廻り部材１の表面に突起を設けた場合と突起を設けない場合ついて、同量の水を付着させた際の広がり面積を比較した結果を示す。なお、ここでは親水性の指標として接触角ではなく広がり面積を用いているが、これは、表面に突起を設けた場合には表面と水との接触角が定まらないからである。
【００１８】
突起は、図３に示すように高さｈ２が略３０〜５００μｍ、基底部の長さｗ２が略３０〜１０００μｍの滑り止め性を付与すると共に大きな水滴及び水膜を薄い水膜とする主突起２と、高さが略０．５〜３０μｍ、基底部の長さが略０．５〜１５０μｍの前記主突起２により形成された薄い水膜を更に薄い水膜とする副突起３とに分類し、更に副突起３を、図４に示すように高さｈ３１が略１０〜３０μｍ、基底部の長さｗ３１が略１０〜１５０μｍである大きい方の大副突起３１と、図５に示すように高さｈ３２が略０．５〜１０μｍ、基底部の長さｗ３２が略０．５〜５０μｍである小さい方の小副突起３２とに分類してある。そして、比較実験は、（Ａ）突起のない平坦な表面の場合（図２参照）、（Ｂ）主突起２を形成した場合（図３参照）、（Ｃ）大副突起３１を形成した場合（図４参照）、（Ｄ）小副突起３２を形成した場合（図５参照）、（Ｅ）主突起２を形成すると共に主突起２及び主突起２間に副突起３を形成した場合（図１参照）、の五通りについて行った。
【００１９】
比較実験の結果を表１に示す。広がり面積は、（Ｅ）主突起２を形成すると共に主突起２及び主突起２間に副突起３を形成した場合、（Ｃ）大副突起３１を形成した場合、（Ｄ）小副突起３２を形成した場合、（Ｂ）主突起２を形成した場合、（Ａ）突起のない平坦な表面の場合、の順に大きいことがわかる。これにより、（Ｅ）のように主突起２及び副突起３を混在させたものが最も親水性が高く、水が流れる際に途中で途切れたりせず連続的に流れ易くて排水性が良いと共に、表面に水滴が残った場合でも広がり面積が大きくて乾燥性が良いことがわかる。副突起３はその高さの下限を略０．５μｍとしてあるが、これは、高さが略０．５μｍ未満とすると親水性に寄与しないためである。
【００２０】
【表１】
2006225890.tif 000003
【００２１】
表削除  
また、滑り止め性能については、突起が大きいほど滑り止めの効果が大きいが、突起の高さが大きくなると歩行感が悪化するため、主突起２の高さｈ２は略３０〜３００μｍとするのが好ましい。
【００２２】
上記の点を踏まえた上で、本実施形態について説明する。
【００２３】
本実施形態の水廻り部材１には、まず、無数の主突起２を水廻り部材１の上面１１となる平坦な表面の略全面に形成して粗面とする。水廻り部材１の上面１１とは、水廻り部材１が設置された時に上面となる面で、浴槽の場合には浴槽の底面であり、浴室の洗い場用床パンの場合には洗い場部分の全面が相当するが、水廻り部材１の上面１１以外の部分に主突起２及び副突起３を設けてもよい。本実施形態の主突起２は高さｈ２が平均略４０μｍ、基底部の長さｗ２が平均略１００μｍで、水廻り部材１の表面上の任意の２．５ｍｍの線分上に少なくとも一個以上存在するように略上面１１全面に亘って形成する。この上面１１の略全面に無数に形成した主突起２により、上面１１の略全面が排水面となって大きな水滴及び水膜が表面上に広がって薄い膜状となると共に、滑り止め性が得られる。
【００２４】
そして、上記主突起２の表面と、主突起２間の谷部に副突起３を形成する。副突起３は上記のように高さが平均略０．５〜３０μｍ、基底部の長さが平均略０．５〜１５０μｍとなるように形成する。この副突起３により、主突起２によって薄い膜状に広がった水が更に薄い膜状に広がるようになる。更にこの時、主突起２の表面に小副突起３２を形成すると共に、主突起２間の谷部に大副突起３１を形成するようにしてもよく、これにより、主突起２間の谷部を水が流れる際に水が大副突起３１を流れることとなって、小副突起３２を流れる場合と比べて排水時間が短くてすむものである。
【００２５】
以上のような構成によれば、水廻り部材１の上面１１全面に主突起２を無数に形成すると共に、主突起２の表面と主突起２間の谷部に主突起２よりも小さい副突起３を無数に形成して親水性を持たせてあるので、大きな水滴及び水膜が表面上に広がって薄い膜状となって、表面を水が流れる際に途中で途切れたりせず連続的に流れ易くて排水性が良くなると共に、表面に水滴が残った場合でも広がり面積が広いため乾燥性が良くなるものである。また、水廻り部材１の上面１１全面に主突起２を無数に形成することで滑り止め性が得られるため、使用者が足を滑らせて転倒するのを防止することができる。
【図面の簡単な説明】
【００２６】
【図１】本発明の一実施形態の要部断面図である。
【図２】水廻り部材の表面に突起を設けず平坦面とした場合の断面図である。
【図３】水廻り部材の表面に主突起を形成した場合の断面図である。
【図４】水廻り部材の表面に大副突起を形成した場合の断面図である。
【図５】水廻り部材の表面に小副突起を形成した場合の断面図である。
【符号の説明】
【００２７】
１    水廻り部材
１１  上面
２    主突起
３    副突起
３１  大副突起
３２  小副突起
【図１】
2006225890.tif 000004
【図２】
2006225890.tif 000005
【図３】
2006225890.tif 000006
【図４】
2006225890.tif 000007
【図５】
2006225890.tif 000008